(57)【要約】【課題】流れ方向に対して雪を傾斜状に流し導くことで、山状部近傍にて雪を押し固めることによりその流下を防止することができる雪止め金具及び雪止め構造を提供する。【解決手段】本発明の雪止め金具１は、縦面部１１が下方に向くように配設されるアングル材１Ｂと、流れ方向に傾斜状に配設される２つの縦片１３，１３を備える本体金具１Ａとからなり、本体金具１Ａの２つの縦片部１３，１３は、その頂部が水上側を向くように配設され、各縦片部１３にはその上端が開放する縦溝１３１が形成されており、アングル材１Ｂの縦面部１１は、本体金具１Ａの２つの縦溝１３２，１３２を押さえ付けるように組み合わされていることを特徴とする。【選択図】図１
2018012990.tif 000002
【特許請求の範囲】
【請求項１】
縦面部が下方に向くように配設されるアングル材と、流れ方向に傾斜状に立設する２つの縦片部を備える本体金具とからなる雪止め金具であって、
前記本体金具の２つの縦片部は、その頂部が水上側を向くように配設され、各縦片部にはその上端が開放する縦溝が形成されており、
前記アングル材の縦面部は、前記本体金具の２つの縦溝を押さえ付けるように組み合わされていることを特徴とする雪止め金具。
【請求項２】
本体金具を構成する各縦片部の下端には、屋根面に接地する当接部が設けられていることを特徴とする請求項１に記載の雪止め金具。
【請求項３】
流れ方向に沿う嵌合部を左右に備える縦葺き外装材を接続して山状部、谷状部を形成した縦葺き外装構造に、取付部を備える支持部材を前記山状部取り付けると共に前記取付部に前記請求項１又は２に記載の雪止め金具を前記谷状部に本体金具が位置するように取り付けてなることを特徴とする雪止め構造。
【発明の詳細な説明】
【技術分野】
【０００１】
本発明は、流れ方向に対して雪を傾斜状に流し導くことで、山状部近傍にて雪を押し固めることによりその流下を防止することができる雪止め金具及び雪止め構造に関する。
【背景技術】
【０００２】
従来、折板屋根の谷部の雪止めを行う金具は、折板屋根の頂部に取り付けられる構成のものが知られているが、この種の雪止め金具は、雪止板部を片持ち支持するタイプのものが多く、十分な雪止め効果が得られなかった。
また、折板屋根の隣り合う頂部にアングル材等を架け渡して雪止めしようとする構成のものも知られているが、このアングル材等では雪止め作用が低いため、その改良が希求されていた。
【０００３】
特許文献１に提案された構造は、隣り合う折板屋根の頂部に架け渡したアングル材Ｃから下方に短冊状の雪止板部１２を垂下させた構成である。なお、この文献１におけるアングル材Ｃは、前述のように折板屋根の頂部と同位置に配設されるので、このアングル材Ｃ自体には雪止め作用は殆ど期待できない。また、谷状部の間隔が広い場合、複数個の雪止板部１２を装着して対応してもよいことが記載されている。
【先行技術文献】
【特許文献】
【０００４】
【特許文献１】実公平７−０３５９７５号公報
【発明の開示】
【発明が解決しようとする課題】
【０００５】
しかしながら、前記特許文献１の構造では、流れ方向に対して正対状に臨ませた短冊状の雪止板部１２がアングル材Ｃから垂下されているに過ぎないので、谷部表面を滑る雪を止める作用は甚だ期待できない。即ちこの雪止板部１２でも、一時的且つ僅かな雪止め作用はあるかもしれないが、幅が狭すぎるため、継続的な作用は到底期待できず、雪はこの雪止板部１２の側方を抜けて流下してしまうからである。
【０００６】
そこで、本発明は、流れ方向に対して雪を傾斜状に流し導くことで、山状部近傍にて雪を押し固めることによりその流下を防止することができる雪止め金具及び雪止め構造を提案することを目的とする。
【課題を解決するための手段】
【０００７】
本発明は、上記に鑑み提案されたものであって、縦面部が下方に向くように配設されるアングル材と、流れ方向に傾斜状に配設される２つの縦片を備える本体金具とからなる雪止め金具であって、前記本体金具の２つの縦片部は、その頂部が水上側を向くように配設され、各縦片部にはその上端が開放する縦溝が形成されており、前記アングル材の縦面部は、前記本体金具の２つの縦溝を押さえ付けるように組み合わされていることを特徴とする雪止め金具を提案するものである。
【０００８】
また、本発明は、前記雪止め金具において、本体金具を構成する各縦片部の下端には、屋根面に接地する当接部が設けられている雪止め金具をも提案する。
【０００９】
さらに、本発明は、流れ方向に沿う嵌合部を左右に備える縦葺き外装材を接続して山状部、谷状部を形成した縦葺き外装構造に、取付部を備える支持部材を前記山状部に取り付けると共に前記取付部に前記構成の雪止め金具を前記谷状部に本体金具が位置するように取り付けてなることを特徴とする雪止め構造をも提案するものである。
【発明の効果】
【００１０】
本発明の雪止め金具は、簡易形状の二部材からなり、谷状部に取り付けられることにより、流れ方向に流下しようとする雪をその縦片部を伝って二手に分かれるように山状部側へ導き、その山状部と雪止め金具との間で押し固められることにより、雪止め金具の幅方向を越える範囲での雪止め効果を発揮するものである。即ち２つの縦片部により、流れ方向に対して雪を傾斜状に流し導くことで、山状部近傍にて雪を塊状に集めることによりその一斉的な流下を防止することができる。また、２つの縦片部の連結頂部が水上側を向いているため、雨水の流れがよく、水溜まりを形成することがない。さらに、ボルト・ナットといった機械固定部材が不要なため、経済性がよい。
【００１１】
また、本体金具を構成する各縦片部の下端には、屋根面に接地する当接部が設けられている場合、本体金具の設置安定性が向上するので、雪止め作用も安定して発揮される。
【００１２】
さらに、本発明の雪止め構造は、縦葺き外装構造の山状部に取付部を備える支持部材を取り付けると共にその谷状部に本体金具が位置するように前記雪止め金具を取り付けたものであって、谷状部を流れる雪を山状部近傍に流し導き、押し固められるから、谷状部にて突っ張り塊状の閉塞を果たすことができる。
【図面の簡単な説明】
【００１３】
【図１】（ａ）本発明の第１実施例における雪止め金具を構成するアングル材及び本体金具を示す分解斜視図、（ｂ）アングル材及び本体金具の組み付け状態の斜視図、（ｃ）アングル材の横面部の一部を欠載して示した組み付け状態の斜視図である。
【図２】（ａ）第１実施例の雪止め金具を縦葺き外装構造の谷状部に配設した状態を示す平面図、（ｂ）その正面図、（ｃ）その側断面図である。
【図３】第１実施例の雪止め金具の本体金具の雪止め作用によって山状部近傍にて雪が押し固められた状態を示し、アングル材を意図的に省略して示した平面図である。
【図４】（ａ）第１実施例の雪止め金具を別の縦葺き外装構造の谷状部に配設した状態を示す平面図、（ｂ）その正面図、（ｃ）その側断面図である。
【発明を実施するための形態】
【００１４】
本発明の雪止め金具は、縦面部が下方に向くように配設されるアングル材と、流れ方向に傾斜状に立設する２つの縦片部を備える本体金具とからなり、前記本体金具の２つの縦片部は、その頂部が水上側を向くように配設され、各縦片部にはその上端が開放する縦溝が形成されており、前記アングル材の縦面部は、前記本体金具の２つの縦溝を押さえ付けるように組み合わされている。
【００１５】
前記アングル材は、流れ方向に直交するように配設されるので、下方に向くように配設される縦面部と、該縦面部の上端から流れ方向の水下側へ延在するように配設される横面部とからなるＬ字状材である。
このアングル材は、後述する雪止め構造では、少なくとも隣り合う山状部間に架け渡されて配設されるものであって、隣り合う山状部間に限らず複数の山状部間に亘って架け渡されるものであってもよい。
【００１６】
前記本体金具は、前述のように流れ方向に傾斜状に立設する２つの縦片部を備える構成であり、これら２つの縦片部は、その頂部が水上側を向くように配設され、各縦片部にはその上端が開放する縦溝が形成されている。
例えばこの本体金具は、例えば矩形状の金属片をく字状に連結したものでも良いし、或いは後述する図示実施例のように一枚の矩形状の金属片をく字状に成形加工してもよく、形成された２つの縦片部の上端から矩形状の縦溝を形成すればよいので、公知の折り曲げ加工や切り込み加工等にて極めて容易に作成することができ、適用しようとする屋根の谷状部等に応じて適宜に作成することができる。
即ち後述する図示実施例のように一枚の矩形状の金属片をく字状に成形する場合には、折曲角部が頂部となるが、矩形状の金属片を連結する場合には、頂部が形成されるように矩形状の辺同士を連結する。
【００１７】
なお、前記縦片部の立設角度は、後述する図示実施例のように略鉛直状とすることが多いが、特に限定するものではない。また、前記縦片部の傾斜（拡開）角度は、後述する図示実施例では直角よりも僅かに大きな鈍角状とすることが多いが、これも特に限定するものではない。
また、前記縦片部に設ける縦溝は、後述する図示実施例では頂部側より端部側を低く形成したが、この構成ではアングル材の縦面部を水下側から容易に配設できるが、特に限定するものではない。このように縦溝を設けることにより、本体金具とアングル材とがズレ動くことなく一体的になるという利点に加え、本体金具の縦片部ばかりでなくアングル材の縦面部にも雪止め作用を果たさせることができる。即ちアングル材の縦面部がこの縦溝を押さえ付けるように組み合わすので、アングル材の縦面部を下方に位置させることができ、この縦面部にも雪止め作用が果たされる。
【００１８】
また、前記縦片部の下端には、屋根面に接地する当接部を設けるようにしてもよく、その場合、本体金具の設置安定性が向上するので、雪止め作用も安定して発揮される。
この当接部としては、後述する図示実施例に示すように配設時に略鉛直状に立設される縦面部に対して略直角状に、即ち略水平状に延在する横片状に形成すればよい。また、この当接部の裏面側には、ゴムシート（や両面粘着テープ）等を介在させて屋根面への傷付け防止を図ると共に容易に接地させるようにしても良い。
【００１９】
このような構成を有する本発明の雪止め金具は、流れ方向に流下しようとする雪が、前記縦片部に伝って二手に分かれるように山状部側へ導かれ、その山状部と雪止め金具との間で押し固められることにより、雪止め金具の幅方向を越える範囲での雪止め効果を発揮する。即ち２つの縦片部により、流れ方向に対して雪を傾斜状に流し導くことで、山状部近傍にて雪を塊状に集めることによりその流下を防止することができる。
【００２０】
この雪止め金具を適用する屋根としては、流れ方向に谷状部及び山状部が形成される縦葺き外装構造が上げられる。
この縦葺き外装構造に用いられる縦葺き外装材としては、後述する図示実施例に示すように平坦状の面板部（谷状部）の両端が立ち上げられ、隣り合う縦葺き外装材間の側縁部（山状部）を接続してなる構成が広く知られているが、施工状態で山状部及び谷状部が連続的に形成されるものであれば、特に限定するものではなく、例えば一枚の外装材に二つ以上の谷状部を有するものでもよい。また、隣り合う縦葺き外装材同士の接続は、カバー材（キャップ材）や支持部材を用いて行うものでも直接的に側縁部同士を連結するものでも良い。
但し、本発明に適用する縦葺き外装構造としては、取付部を備える支持部材を山状部に取り付けてなる構成が望ましい。
この取付部と雪止め金具の取付は、後述する図示実施例のように複数の支持部材に亘る架設状であっても、支持部材から張り出し状（片持ち状）に配するものであってもよい。
【００２１】
前記支持部材は、前述のように取付部を備え、山状部に配置可能であればよく、山状部の外側からビス等による直止め、挟着等で取り付けるものでも、山状部の内側から延在させたものでもよく、配設方法（取付方法）はとくに限定するものではない。また、取付部は、雪止め金具（アングル材）が取付可能であればよく、その取付方法は、ビス等による直止め、係止、係合、挟着等によるものでもよく、雪止め金具の本体金具が押しつけられている状態を維持できるものであればよく、その具体的構成、それ以外の構成については特に限定するものではない。
この支持部材は、前記取付部にアングル材を取り付けられるものであって、このアングル材に作用する雪荷重も前記取付部より前記支持部材に作用させることができる。
【００２２】
この支持部材には、締め付け手段が備えられる態様や、アングル材の縦面部が差し込まれる上方が開放する取付溝を備える態様、前記アングル材の横面部を押さえる押さえ部を備える態様等を適宜に具備させることが望ましい。
締め付け手段を備える場合には、山状部への取付強度が高いものとなり、この支持部材に取り付ける雪止め金具の取付強度も高いものとなる。なお、後述する図示実施例には、締め付け手段を備える第１実施例と、締め付け手段に代えてビス固定する第２実施例とを記載したが、何れも高い強度で山状部へ取り付けることができる。
取付溝を備える場合には、取付溝がアングル材を配設する際の案内及び規制を兼ね、アングル材を安定に且つ容易に取り付けることができる。なお、アングル材は、前述のように流れ方向に直交するように配設されるので、その縦面部が差し込まれる取付溝は、後述する図示実施例に示すように前後に分割状に形成してもよい。
押さえ部を備える場合には、アングル材の脱離を防止できる。なお、前記押さえ部は、後述する図示実施例に示すように例えばフック状、断面Ｌ字状に形成して前記アングル材の横面部を上方から押さえるものでもよい。
【００２３】
このように形成される本発明の雪止め構造は、縦葺き外装構造の山状部に支持部材を挟着状に取り付けると共にその谷状部に前記雪止め金具を取り付けたものであって、谷状部を流れる雪を山状部近傍に流し導き、押し固めて、突っ張り塊状の閉塞を果たすことができる。
【実施例１】
【００２４】
図１に示す本発明の第１実施例の雪止め金具１は、縦面部１１が略鉛直状に下方に向くように配設されるアングル材１Ｂと、流れ方向に傾斜状に、且つ略鉛直状に立設する２つの縦片部１３を備える本体金具１Ａとからなる。
【００２５】
前記本体金具１Ａの２つの縦片部１３は、図１（ａ）に示すようにその頂部１３１が水上側を向くように配設され、各縦片部１３にはその上端が開放する縦溝１３２が形成されている。なお、この縦溝１３２は、内側より外側が浅く形成されている。また、各縦片部１３下端には、それぞれ略水平状に延在する当接部１４が設けられ、この当接部１４の裏面側には、ゴムシート２が貼着されている。
このような本体金具１Ａとしては、特に限定するものではないが、略矩形状の金属板材の中央を折り曲げて縦片部１３，１３とすると共に、折り曲げ部分を頂部１３１とし、その下端を更に略直角状に折り曲げて当接部１４とし、前記各縦片部１３の上端から切り込み加工にて縦溝１３２を形成すれば良く、極めて容易に作製することができる。
【００２６】
前記アングル材１Ｂは、図１（ａ）に示すように縦面部１１と横面部１２とで形成される断面略Ｌ字状で、前述のようにその縦面部１１が下方を向くように配設され、横面部１２は略水平状に配設される。
このようなアングル材１Ｂとしては、Ｌ型鋼をそのまま用いることができる。
【００２７】
そして、これら二つの部材１Ａ，１Ｂは、図１（ａ）中に矢印にて示すようにアングル材１Ｂを上方から略鉛直状に臨ませ、図１（ｂ），（ｃ）に示すように前記アングル材１Ｂの縦面部１１が、前記本体金具１Ａの２つの縦溝１３２，１３２を押さえ付けるように組み合わせる。その際、縦溝１３２は内側より外側が浅く形成されているので、アングル材１Ｂの縦面部１１を水下側（同図では手前側）から容易に適正位置に取り付けることができる。
【００２８】
このように本発明の雪止め金具１は、前述のように極めて容易に作製される簡易形状の二部材１Ａ，１Ｂを組み合わせて形成されるものであって、流れ方向に流下しようとする雪をその縦片部１３，１３にて二手に分かれるように山状部側へ導くことができ、強固に組み合わされているので、分離することがなく継続的に雪止め作用が果たされる。なお、この雪止め作用については、後述する図３の説明にて詳細に説明する。
【００２９】
図２（ａ）は、前記雪止め金具１を縦葺き外装構造の谷状部５１に取り付けた状態を示し、図２（ｂ）はその正面図を、図２（ｃ）はその側断面図を示している。
前記縦葺き外装構造は、図２（ｂ）に示すように躯体３上に断熱材４Ａ及び防水シート４Ｂが敷設され、裏貼り材５ｃが添装された縦葺き屋根材５Ａの側縁を複数部材にて構成される保持部材６にて保持し、更に隣り合う縦葺き屋根材５Ａ，５Ａの側縁をキャップ材５Ｂにて覆った構成である。
【００３０】
前記縦葺き外装材５Ａは、略平坦状の平板部５１の左右の側縁５２を傾斜状に折り上げて上端を折り返した構成であり、該側縁５２には、下部保持部材６Ｂに係合する係合部５２１が設けられ、前記平板部５１が前記谷状部である。なお、山状部は、隣り合う縦葺き外装材５Ａ，５Ａの接続部分を指し、これらの側縁５２，５２、及びその外側に配設される上部保持部材６Ａやキャップ材５Ｂが相当する。
【００３１】
前記保持部材６は、前述のように複数部材にて構成されるものであって、前記縦葺き外装材５Ａの敷設以前に取り付けられる下部保持部材６Ｂと、それを躯体３に固定する固着ボルト６ｃと、前記縦葺き外装材５Ａの敷設後に取り付けられる上部保持部材６Ａとで構成される。
前記下部保持部材６Ｂは、図２（ｂ）に示すように左右対称状に形成される断面カップ状の部材であって、左右の脚部６１，６１の上端に形成された中央横片部６２に、長脚ボルトである固着ボルト６ｃが固着され、その左右に形成される起立片６３の外側に前記縦葺き外装材５Ａの側縁５２（係合部５２１）を係合させる被係合部６３１が設けられ、起立片６３の内側には上部保持部材６Ａを連結させる連結受部６３２が設けられている。
前記上部保持部材６Ａは、図２（ｂ）に示すように左右対称状に形成される断面Ｈ字状の部材であって、左右の縦片６４，６４の外側に前記下部保持部材６Ｂを連結させる連結部６４１が設けられ、それぞれの縦片６４の上端から外側へ大きく湾曲する保持部６５が設けられ、前記縦葺き外装材５Ａの側縁５２を上方から包囲するように保持すると共に、前記下部保持部材６Ｂ（の連結受部６３２）に前記連結部６４１が弾性的に嵌合して一体的に固定される。
【００３２】
前記キャップ材５Ｂは、中央が凹む頂部５３の左右を折り下げた側縁部５４，５４を有する左右対称状の部材であって、前記側縁部５４は、前記上部保持部材６Ａの保持部６５及びその裏面側の縦葺き外装材５Ａの側縁５２をも覆うように嵌合状に取り付けられている。
【００３３】
この図２では、前記キャップ材５Ｂの更に外側に、横方向のボルトナットである締め付け手段７ｂを備える支持部材７Ａを、前記縦葺き外装構造の山状部（キャップ材５Ｂ）に挟着状に取り付けている。
【００３４】
前記支持部材７Ａには、左右の駒状の側枠７１，７１の高さの中程に締め付け手段７ｂが位置しており、その上端に亘る頂部７２には、前記アングル材１Ｂの横面部１２が載置可能であり、それぞれの側枠７１の下方の内側には、前記キャップ材５Ｂの側縁部５４，５４の更に外側に配される略く字状の挟着部７１１が設けられている。また、この支持部材７Ａの上端には、前記アングル材１Ｂの縦面部１１を差し込み可能な上方が開放する取付溝７３が設けられている。さらに、前記締め付け手段７ｂであるボルトには、前記アングル材１Ｂの横面部１２を押さえるフック７Ｃが押さえ部として回動可能に軸着されている。これらの取付溝７３やフック７Ｃは、アングル材１Ｂを取り付ける取付部として機能するものであり、取付溝７３で流れ方向の位置規制を行い、押さえ部７Ｃで上下方向を規制するものである。
【００３５】
そして、この支持部材７Ａは、締め付け手段７ｂを緩めた状態で左右の側枠７１，７１が前記キャップ材５Ｂの側縁部５４，５４の更に外側に沿うように対向状に配置させ、締め付け手段７ｂを締め付けることにより、前記縦葺き外装構造の山状部（キャップ材５Ｂ）に挟着状に且つ強固に取り付けることができる。
取り付けられた支持部材７Ａには、前述のように取付溝７３が形成されているので、隣り合う山状部にそれぞれ取り付けた支持部材７Ａ，７Ａ間に架け渡すように前記アングル材１Ｂを縦面部１１が下方に向くように取り付けることができる。
さらに、このようにアングル材１Ｂを取り付けたら、前記フック７Ｃが横面部１２を押さえるように回動させることができるので、アングル材１Ｂの脱離を防止することができる。
【００３６】
図３は、前記本体金具１Ａの雪止め作用により、山状部５Ｂ近傍にて雪が押し固められた状態を模式的に示すものであって、図面の上方から下方が流れ方向を指し、その作用をより明確にするため、アングル材１Ｂを意図的に省略して示している。
当該図中にハッチングにて示す雪は、当初は、縦葺き外装構造の谷状部５１に落下してある程度まではその位置にて降り積もる状態を維持する。
その後、一定以上降り積もった雪は、谷状部５１の表面を覆いきった状態で自重で一斉に流れ方向に流下しようとする。
しかし、流れ方向に流下する雪は、取り付けられた傾斜状の縦片部１３，１３にて堰き止められ、該縦片部１３，１３を伝って二手に分かれ、谷状部５１の端部に位置する山状部５Ｂ，５Ｂへそれぞれ導かれる。即ち流下する雪は、自重により流れ方向の下方へ向かうベクトルを有するが、前記縦片部１３，１３によって外側（側方）へ向かうベクトルをも与えられる。この状況を図中では太矢印にて示しているが、当該太矢印にて示すように山状部５Ｂ，５Ｂへ導かれた雪は、その山状部５Ｂ，５Ｂにてそれぞれ中央側へ反射しようと挙動する（外側へ向かうベクトルと内側へ反射しようとするベクトルが衝突する）ため、図中にクロスハッチングにて示すように山状部５Ｂ，５Ｂと縦片部１１，１１との間で押し固められる。
【００３７】
このような雪止め作用は、谷状部５１の表面を覆いきれないような少量の降雪量では起こらないが、前述のように降り積もった雪が、谷状部５１の表面を覆いきった状態で自重で一斉に流れ方向に流下しようとする際には極めて効率よく雪止め作用を行うことができるものである。
また、この図３では記載を省略したアングル材１Ｂの縦片部１１にも雪止め作用を果たさせることができることは前述の通りであるから、大容量の雪止め作用が果たされるものとなる。
【００３８】
図４（ａ）は、前記雪止め金具１を別の態様の縦葺き外装構造の谷状部５１'に取り付けた状態を示し、図４（ｂ）はその正面図を、図４（ｃ）はその側断面図を示している。
前記縦葺き外装構造は、図４（ｂ）に示すように躯体３上に断熱材４Ａ及び防水シート４Ｂが敷設され、裏貼り材５ｅが添装された縦葺き屋根材５Ｄの側縁を躯体３に固定した保持部材６Ｄにて保持し、更に隣り合う縦葺き屋根材５Ｄ，５Ｄの側縁をキャップ材５Ｆにて覆った構成である。
【００３９】
前記縦葺き外装材５Ｄは、略平坦状の平板部５１'の左右の側縁５２'を傾斜状に折り上げて上端を折り返した構成であり、該側縁５２'には、保持部材６Ｄの起立片６６に係合する第二係合部５２２、その外側に位置する排水溝５２３、その外側に位置して保持部材６Ｄの中央隆起部６７に係合する第一係合部５２４が設けられ、前記平板部５１'が前記谷状部である。なお、山状部は、隣り合う縦葺き外装材５Ｄ，５Ｄの接続部分を指し、これらの側縁５２'，５２'、及びその外側に配設される支持部材７Ｄやキャップ材５Ｆが相当する。
【００４０】
前記保持部材６Ｄは、前述のように躯体３に固定されるものであって、略平坦状の固定部６８の略中央に中央隆起部６７が配置され、その左右端に起立片６６，６６が配置される構成である。
この保持部材６Ｄは、図４（ｂ）に示すように左右対称状に形成される断面山字状の部材であって、左右の起立片６６の上端には鏃状の係止部６６１が形成され、中央隆起部６７の左右の側部には、前記縦葺き外装材５Ｄの側縁５２'（係合部５２２）を係合させる被係合部６７１が設けられ、図４（ｃ）に示すように中央隆起部６７の頭部を一部切り欠いて長脚の固着ボルト６ｅにて躯体３に固定している。
【００４１】
前記キャップ材５Ｆは、断面傘状の頂部５３'の左右を折り下げた側縁部５４'，５４'を有する左右対称状の部材であって、前記側縁部５４'の下端を内側へ折り返し状に折り曲げて前記縦葺き外装材５Ｄの第二係合部５２２の頂部に嵌合する嵌合部５５が設けられている。
【００４２】
この図４では、前記キャップ材５Ｆの内側に前記保持部材６Ｄに左右の縦葺き外装材５Ｄ，５Ｄを取り付けた後に、ビス固定（ビス７ｅ）にて支持部材７Ｄを取り付け、該支持部材７Ｄから上方へキャップ材５Ｆを貫通する縦片７４を延在させ、該縦片７４に略Ｌ字状の押さえ片７Ｆがビス固定（ボルトナット７ｇ）されている。この押さえ片７Ｆは、アングル材１Ｂを取り付ける取付部として機能するものであり、その縦片部分及び縦片７４で流れ方向の位置規制を行い、その横片部分で上下方向を規制するものである。
【００４３】
前記支持部材７Ｄは、前述のように上方へ縦片７４を延在させるものであるが、前記保持部材６Ｄの中央隆起部６７に沿わせた左右の縦葺き外装材５Ｄ，５Ｄの左右の側縁５２'，５２'の外側に沿わせる内部分７５と、前記キャップ材５Ｆの頂部５３'の裏面に沿う外部分７６と、を備え、前記内部分７５にはビス７ｅ，７ｅが取り付けられて前記保持部材６Ｄに一体的に固定され、その際、縦葺き外装材５Ｄ，５Ｄを挟着状に固定している。
なお、前述のようにこの支持部材７Ｄに設けられた縦片７４は、図示しない止水処理を施した貫通孔からキャップ材５Ｆを貫通して上方へ延在している。
【００４４】
そして、この支持部材７Ｄは、前記第１実施例における締め付け手段７ｂに代えて内部分７５をビス固定（ビス７ｅ）したものであるから、同様に山状部に強固に取り付けられるものであって、該支持部材７Ｄから上方へ延在させた縦片７４に固定した押さえ片７Ｆも、該押さえ片７Ｆに保持される雪止め金具１も、安定且つ強固に取り付けることができる。なお、押さえ片７Ｆは、図４（ａ），（ｃ）に示すように横片部分がアングル材１Ｂの横片１２より更に水下側へ延在し、縦片部分と連結する構成である。したがって、この押さえ片７Ｆは、アングル材１Ｂを配設した状態でその水下側から臨ませ、前記縦片７４と連結して配設すればよい。
【符号の説明】
【００４５】
１  雪止め金具
１Ａ  本体金具
１Ｂ  アングル材
１１  縦面部
１２  横面部
１３  縦片部
１３１  頂部
１３２  縦溝
１４  当接部
２  ゴムシート
３  躯体
４Ａ  断熱材
４ｂ  防水シート
５Ａ  縦葺き外装材
５Ｂ  キャップ材
６，６Ｄ  保持部材
６Ａ  上部保持部材
６Ｂ  下部保持部材
６ｃ，６ｅ  固着ボルト
７Ａ，７Ｄ  支持部材
７ｂ  締め付け手段
７Ｃ  フック（押さえ部）
７Ｆ  押さえ片
【図１】
2018012990.tif 000003
【図２】
2018012990.tif 000004
【図３】
2018012990.tif 000005
【図４】
2018012990.tif 000006